【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
複数クライアントとホストとから構成されるホストベース型情報システムにおける前記ホストであって、
前記クライアントの所定位置に接続して前記クライアントと前記ホストとを通信可能とするホスト側接続手段と、
通信可能となった前記クライアントの表示装置に表示されている文書データを前記クライアントから取得する文書データ取得手段と、
前記文書データ取得手段で取得された文書データに対して、前記ホスト側接続手段が接続されている前記所定位置に対応づけられている所定処理を実行する処理実行手段と、を備えることを特徴とするホスト。
【請求項２】
複数クライアントとホストとから構成されるホストベース型情報システムにおける前記クライアントであって、
表示状態を不揮発的に保持可能な記憶性の表示装置と、
前記表示装置に表示させる文書の文書データを記憶する文書記憶手段と、
前記ホストが接続されると前記ホストと自装置とを通信可能とし且つそれぞれが所定処理に対応する複数のクライアント側接続手段と、
前記クライアント側接続手段に対応する所定処理を示す反応マップを記憶する反応マップ記憶手段と、を備えることを特徴とするクライアント。
【請求項３】
複数クライアントとホストとから構成されるホストベース型情報システムにおける前記ホストに実行させるプログラムであって、
前記クライアントの所定位置にホスト側接続手段が接続されて前記クライアントと前記ホストとが通信可能な状態にあることを検出する検出ステップと、
前記検出ステップで前記クライアントと前記ホストとが通信可能な状態にあることが検出されると、通信可能となった前記クライアントの表示装置に表示されている文書データを前記クライアントから取得する文書データ取得ステップと、
前記文書データ取得ステップで取得された文書データに対して、前記ホスト側接続手段が接続されている前記所定位置に対応づけられている所定処理を実行する処理ステップと、を前記ホストに実行させることを特徴とするホスト用プログラム。
【請求項４】
複数クライアントとホストとから構成されるホストベース型情報システムにおける前記ホストの制御方法であって、
前記クライアントの所定位置にホスト側接続手段が接続されて前記クライアントと前記ホストとが通信可能な状態にあることを検出する検出ステップと、
前記検出ステップで前記クライアントと前記ホストとが通信可能な状態にあることが検出されると、通信可能となった前記クライアントの表示装置に表示されている文書データを前記クライアントから取得する文書データ取得ステップと、
前記文書データ取得ステップで取得された文書データに対して、前記ホスト側接続手段が接続されている前記所定位置に対応づけられている所定処理を実行する処理ステップと、を有することを特徴とするホストの制御方法。
【手続補正２】
【補正対象書類名】明細書
【補正対象項目名】０００１
【補正方法】変更
【補正の内容】
【０００１】
本発明は、ホスト、クライアント、ホスト用プログラム、ホストの制御方法に関する。
【手続補正３】
【補正対象書類名】明細書
【補正対象項目名】０００５
【補正方法】変更
【補正の内容】
【０００５】
本発明は、上記従来の技術の未解決の問題点を解決することを目的とするものであって、単一ユーザが複数のクライアントを操作する電子ペーパー装置からなるシステムに好適に適用できるホスト、クライアント、ホスト用プログラム、ホストの制御方法を提供することを課題とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
上記課題を解決するために、本発明のホストは、クライアントとホストとから構成されるホストベース型情報システムにおける前記ホストであって、前記クライアントの所定位置に接続して前記クライアントと前記ホストとを通信可能とするホスト側接続手段と、通信可能となった前記クライアントの表示装置に表示されている文書データを前記クライアントから取得する文書データ取得手段と、前記文書データ取得手段で取得された文書データに対して、前記ホスト側接続手段が接続されている前記所定位置に対応づけられている所定処理を実行する処理実行手段と、を備えることを特徴とする。
【手続補正１０】
【補正対象書類名】明細書
【補正対象項目名】００１２
【補正方法】変更
【補正の内容】
【００１２】
また、本発明のクライアントは、クライアントとホストとから構成されるホストベース型情報システムにおける前記クライアントであって、表示状態を不揮発的に保持可能な記憶性の表示装置と、前記表示装置に表示させる文書の文書データを記憶する文書記憶手段と、前記ホストが接続されると前記ホストと自装置とを通信可能とし且つそれぞれが所定処理に対応する複数のクライアント側接続手段と、前記クライアント側接続手段に対応する所定処理を示す反応マップを記憶する反応マップ記憶手段と、を備えることを特徴とする。
【手続補正１１】
【補正対象書類名】明細書
【補正対象項目名】００１３
【補正方法】変更
【補正の内容】
【００１３】
さらに、本発明のホスト用プログラムは、クライアントとホストとから構成されるホストベース型情報システムにおける前記ホストに実行させるプログラムであって、前記クライアントの所定位置にホスト側接続手段が接続されて前記クライアントと前記ホストとが通信可能な状態にあることを検出する検出ステップと、前記検出ステップで前記クライアントと前記ホストとが通信可能な状態にあることが検出されると、通信可能となった前記クライアントの表示装置に表示されている文書データを前記クライアントから取得する文書データ取得ステップと、前記文書データ取得ステップで取得された文書データに対して、前記ホスト側接続手段が接続されている前記所定位置に対応づけられている所定処理を実行する処理ステップと、を前記ホストに実行させることを特徴とする。
【手続補正１２】
【補正対象書類名】明細書
【補正対象項目名】００１４
【補正方法】変更
【補正の内容】
【００１４】
また、本発明のホストの制御方法は、クライアントとホストとから構成されるホストベース型情報システムにおける前記ホストの制御方法であって、前記クライアントの所定位置にホスト側接続手段が接続されて前記クライアントと前記ホストとが通信可能な状態にあることを検出する検出ステップと、前記検出ステップで前記クライアントと前記ホストとが通信可能な状態にあることが検出されると、通信可能となった前記クライアントの表示装置に表示されている文書データを前記クライアントから取得する文書データ取得ステップと、前記文書データ取得ステップで取得された文書データに対して、前記ホスト側接続手段が接続されている前記所定位置に対応づけられている所定処理を実行する処理ステップと、を有することを特徴とする。
【手続補正１３】
【補正対象書類名】明細書
【補正対象項目名】００１５
【補正方法】削除
【補正の内容】